(57)【要約】【課題】昇降装置が大型化し、重量が重くなることなく、平行度を保ったまま部材を昇降させられる昇降装置を提供する。【解決手段】上方に配設される部材を支持する支持部と、支持部の下方に位置される固定部とを備え、支持部と固定部を、一端側が支持部または固定部の一方にフリー回転可能に支持され、他端側が他方の固定部または支持部に貫通形成された螺子孔に螺合される少なくとも４本の螺子軸により連結し、支持部と固定部との間に位置するように、全ての螺子軸に、螺子軸と同期回転するスプロケットを固定するとともに、スプロケットの歯に噛み合わされる噛合部を有する無端ベルトを全てのスプロケットに掛け渡し、所定の螺子軸を着脱可能なハンドルで回転させるように構成した。【選択図】　　図２
2004059196.tif 000002
【特許請求の範囲】
【請求項１】
上方に配設される部材を支持する支持部と、支持部の下方に位置される固定部とを備え、
支持部と固定部を、一端側が支持部または固定部の一方にフリー回転可能に支持され、他端側が他方の固定部または支持部に貫通形成された螺子孔に螺合される少なくとも４本の螺子軸により連結し、
支持部と固定部との間に位置するように、全ての螺子軸に、螺子軸と同期回転するスプロケットを固定するとともに、
スプロケットの歯に噛み合わされる噛合部を有する無端ベルトを全てのスプロケットに掛け渡し、所定の螺子軸を着脱可能なハンドルで回転させるようにしている昇降装置。
【請求項２】
固定部の下面に複数のキャスターが固定されるとともに、固定部に螺子孔が貫通形成され、支持部に螺子軸がフリー回転可能に支持されており、支持部の上面で家具の底面を支持するようにしている請求項１に記載の昇降装置。
【請求項３】
固定部に、固定部に対して高さ調整可能で、下面側に突出させて床面に接触させる支持体を少なくとも一つ設けている請求項２に記載の昇降装置。
【請求項４】
支持部に螺子孔が貫通形成され、固定部に螺子軸がフリー回転可能に支持されており、固定部の下面は、家具の頂面に固定されるとともに、支持部の上面で家具の上方に配設される壁形成部を支持するようにしている請求項１に記載の昇降装置。
【請求項５】
ハンドルで回転させる螺子軸に、スプロケットと同期回転する螺子軸側傘歯車を固定し、当該螺子軸側傘歯車に噛み合う伝達傘歯車を有する回転軸を、螺子軸がフリー回転可能に支持される支持部または固定部にフリー回転可能に支持させて、回転軸、２つの傘歯車を介してハンドルで螺子軸を回転させるようにしていることを特徴とする請求項１から請求項４の何れかに記載の昇降装置。
【発明の詳細な説明】
【０００１】
【発明の属する技術分野】
本発明は、大きな部材を昇降させる昇降装置に関する。
【０００２】
【従来の技術】
家具などの大きな部材を移動させる場合には、家具を床面から持ち上げた状態で移動させる必要がある。
【０００３】
例えば、タンス、食器棚、書籍棚、キャビネット等の家具の場合、家具の底面を床面に直接載置させているため、通常、部屋の模様替えや引越しの際には、収納している物を全て家具の収納部から出しておいて、家具全体を床面から持ち上げて移動させる。
【０００４】
そこで、家具の移動を容易にするため、近年では、家具の底面に複数のキャスターを取り付けておいて、家具の移動を行い易くしたものが提案されているが、移動が終わった後は、家具は、複数のキャスターのみで支持されることとなる。
【０００５】
その結果、家具を床面に載置している時は、家具の重さに収納物の重さも加わるので家具全体の自重が大きくなり、家具を支持しているキャスターに過大な荷重が集中してしまい、長期間の家具の設置により、キャスターが破損したり、または、キャスターが接触している床面が凹んで損傷を及ぼすなどの問題がある。
【０００６】
そこで、家具の底部内方に、キャスターを有する昇降装置を設け、家具の載置時には、キャスターが床面に接触しないようにし、家具の移動の際には、家具を床面から持ち上げてキャスターを床面に接触させて家具を移動できるようにしたものが提案されている（特開平１０−３０４９４５号に記載）。
【０００７】
特開平１０−３０４９４５号に記載されている昇降装置は、図２４に示すように、家具の底面に固定される支持枠Ａと下面に４つのキャスターＢが取り付けられている上下移動枠Ｃとを備え、支持枠Ａと上下移動枠Ｃとを揺動可能に連結される２つのくの字フレームＤと２つのＸフレームＥで連結している。
【０００８】
そして、くの字フレームＤの揺動支持部にナット部材を取り付け、このナット部材にボール軸Ｆを螺合させて、ボール軸Ｆの回転に伴い、くの字フレームＤが揺動するようになっている。
【０００９】
また、くの字フレームＤとボール軸Ｆは、支持枠Ａと上下移動枠Ｃの長さ方向中央部に配設され、ＸフレームＥは、支持枠Ａと上下移動枠Ｃの長さ方向端部に配設されている。
【００１０】
そして、ボール軸Ｆの一端に取り付けられるハンドルＧを回してボール軸Ｆを回転させることにより、くの字フレームＤが揺動し、くの字フレームＤの揺動により支持枠Ａと上下移動枠Ｃの間の距離が調整されるようになっている。
【００１１】
さらに、支持枠Ａに対して上下移動枠Ｃを水平に移動させるために支持枠Ａと上下移動枠ＣをＸフレームＥで支持させている。
【００１２】
【発明が解決しようとする課題】
ところで、図２４に示す昇降装置では、くの字フレームＤは、主として支持枠Ａと上下移動枠Ｃとの間の距離を調節するために用いられ、ＸフレームＥは、上下移動枠Ｃの移動に伴い、支持枠Ａに対する上下移動枠Ｃの平行度を保つために用いられている。
【００１３】
そのため、支持枠Ａに家具の全重量がかかったときは、くの字フレームＤおよびＸフレームＥの支持枠Ａへの支持点と、くの字フレームＤおよびＸフレームＥの揺動支点とが上下方向において同一線上に位置しないため、各フレームＤ，Ｅの揺動支点にかかる負荷が大きくなりフレームは損傷しやすくなる。
【００１４】
そのため、各フレームＤ，Ｅは、強度性が要求され、フレームＤ，Ｅを大きくする必要があり、昇降装置全体としての大型化するとともに、重量も重くなるという問題がある。
【００１５】
そこで、本発明は、上記問題を解決するためになしたものであって、昇降装置が大型化し、重量が重くなることなく、平行度を保ったまま部材を昇降させられる昇降装置を提供することを目的とする。
【００１６】
また、本発明の軽量な昇降装置を用いることにより、壁を形成できる新規な家具を提供することもできる。
【００１７】
即ち、家具には、例えば、タンス、食器棚、書籍棚、キャビネット等が挙げられるが、近年では、部屋の間取りを替えるために、家具で部屋を仕切り、家具を壁代わりに用いる手段が講じられている。
【００１８】
しかし、一般の家具は、その高さが天井より低いため、家具で完全な壁を形成することはできないことから、家具で仕切った隣の部屋の光が家具の上方からその隣の部屋に入ってしまうという不具合が生ずる。
【００１９】
家具の上方から隣の部屋の光が入らないようにするためには、家具で上部に隙間無く壁を作る必要があり、床面から天井までの高さを有する家具を製造することが考えられるが、家具を床面と天井との間に隙間無く配置する作業は、非常に困難であり、また、部屋によっては床面から天井までの高さが異なることから、それぞれの部屋に合わした家具を製造しなければならず、製造コストがかかる。
【００２０】
そこで、本発明は、家具の高さを所定の高さに調整できながら、床面と天井との間に隙間無く簡単に配置することができる家具に用いる昇降装置を提供することも目的とする。
【００２１】
【課題を解決するための手段】
以上の目的を達成するため、請求項１に記載の発明は、上方に配設される部材を支持する支持部と、支持部の下方に位置される固定部とを備え、支持部と固定部を、一端側が支持部または固定部の一方にフリー回転可能に支持され、他端側が他方の固定部または支持部に貫通形成された螺子孔に螺合される少なくとも４本の螺子軸により連結し、支持部と固定部との間に位置するように、全ての螺子軸に、螺子軸と同期回転するスプロケットを固定するとともに、スプロケットの歯に噛み合わされる噛合部を有する無端ベルトを全てのスプロケットに掛け渡し、所定の螺子軸を着脱可能なハンドルで回転させるようにしている昇降装置を提供する。
【００２２】
請求項１に記載の発明によれば、無端ベルトにより各螺子軸のスプロケットを同時に回転させることができるので、各螺子軸の同期回転により支持部と固定部との間の平行度を保ったまま、支持部と固定部との間の距離を調節することができる。
【００２３】
さらに、請求項１に記載の発明では、少なくとも４本の真っ直ぐな螺子軸により支持部と固定部を連結しているので、支持部で受けた荷重は、少なくとも４本の真っ直ぐな螺子軸で受けることができ、螺子軸の上端部にかかる荷重を螺子軸下端まで軸方向に受けることになり、螺子軸の径をさほど大きくせずとも支持部で受けている部材の荷重を螺子軸が損傷することなく受けとめることができる。
【００２４】
しかも、螺子軸を少なくとも４本設けているので、支持部で受ける荷重を複数本の螺子軸で分散させて受けることができるので、１本の螺子軸にかかる荷重を軽減することができる。
【００２５】
請求項２に記載の発明は、請求項１に記載の昇降装置において、固定部の下面に複数のキャスターが固定されるとともに、固定部に螺子孔が貫通形成され、支持部に螺子軸がフリー回転可能に支持されており、支持部の上面で家具の底面を支持するようにしている構成とした。
【００２６】
請求項２に記載の発明の昇降装置を家具の底部に配設することにより、所望の時に、昇降装置のキャスターを用いて移動できる家具を提供することができる。
【００２７】
請求項３に記載の発明は、請求項２に記載の昇降装置において、固定部に、固定部に対して高さ調整可能で、下面側に突出させて床面に接触させる支持体を少なくとも一つ設けている請求項２に記載の昇降装置。
【００２８】
請求項３に記載の発明によれば、傾斜している床面に対して家具を設置する場合であっても、家具が傾かないように、家具の底部の一部を床面から浮かした状態にしておいて、床面から浮いている部分において、支持体の底面を床面に接触させるように支持体を固定部に対して高さ調整することにより、床面が傾斜していても家具を傾かないように設置できながら、家具を移動するときは、全てのキャスターを床面に接触させた状態で、家具を移動させることができる。
【００２９】
支持体としては、外面に雄ネジ部を有する棒状の調整ねじを用いたり、外面に雄ネジ部を有する取付用ねじを備えたキャスターを利用することができる。キャスターを用いる場合には、このキャスターの上部取付部に雄ネジ部を有する取付用ねじを設け、固定部に雌ネジ部を形成して、雌ネジ部にキャスターの雄ネジ部を螺合し、床面から浮いている家具底部近くのキャスターを床面に接触させるように取付用ねじを回して高さ調整して、一部のキャスターを用いて家具を傾くことなく支持する。
【００３０】
キャスターを支持体として用いる場合には、家具を移動させる際において、螺子軸を回して固定部と支持部との間の高さを広げながら、床面に接触していないキャスターが床面に接触するまで、床面に接触させていたキャスターを固定部側に近づくように高さ調整した後、全てのキャスターで家具を支持させるようにする。
【００３１】
また、棒状の調整ねじを用いる場合は、固定部に調整ねじの雄ネジ部が螺合される雌ネジ部を形成して、雌ネジ部に雄ネジ部を螺合し、床面から浮いている家具底部近くの調整ねじを床面に接触させるように調整ねじを回して高さ調整することにより、調整ねじを用いて家具を傾くことなく支持する。
【００３２】
請求項４に記載の発明は、請求項１に記載の昇降装置において、支持部に螺子孔が貫通形成され、固定部に螺子軸がフリー回転可能に支持されており、固定部の下面は、家具の頂面に固定されるとともに、支持部の上面で家具の上方に配設される壁形成部を支持するように構成した。
【００３３】
請求項４に記載の発明の昇降装置については、家具が、上面部と底面部と側面部とを備え、側面部は、上面部よりも上方に延設される上部延設側面部を備え、上部延設側面部の内方に、上部延設側面部の上端より突出し、上部延設側面部に対して上下動可能な壁形成部を配設したものにおいて、壁形成部と上面部との間に、壁形成部を上下動させる本発明の昇降装置を設けることにより、壁を形成できる家具を提供することができるようになる。
【００３４】
ここで壁形成部とは、家具本体の上面に昇降装置を介して上下移動可能に配置され、家具本体の側面部上端から天井までの隙間を無くすために用いられる壁部材の上部を形成するための部材のことをいう。
【００３５】
請求項５に記載の発明は、請求項１から請求項４の何れかに記載の昇降装置において、ハンドルで回転させる螺子軸に、スプロケットと同期回転する螺子軸側傘歯車を固定し、当該螺子軸側傘歯車に噛み合う伝達傘歯車を有する回転軸を、螺子軸がフリー回転可能に支持される支持部または固定部にフリー回転可能に支持させて、回転軸、２つの傘歯車を介してハンドルで螺子軸を回転させるように構成した。
【００３６】
なお、家具としては、タンス、食器棚、書籍棚、キャビネット、机等の家庭用の家具に限られず、商店、倉庫、酒場、料理店などの特殊な場所に設置する、収納棚、ショーケース、カウンターなどの家具も含む。
【００３７】
【発明の実施の形態】
以下、本発明にかかる昇降装置を用いた家具の実施の形態を図面に基づいて説明する。本実施の形態では、図１に示す洋服タンス１において、昇降装置を家具移動機構２として用いるとともに、壁形成部移動機構３として用いている。
【００３８】
本実施の形態の家具は、図１に示す洋服ダンス１であるが、本発明は、洋服ダンスに限らず、書籍棚や、食器棚などの他の家具にも適用できる。
【００３９】
図１に示す洋服タンス１は、上面部１１と底面部１２と四方を囲む側面部１３とを備えており、側面部１３の前面は３つの扉１４で形成している。
【００４０】
そして、上面部１１と底面部１２と側面部１３により内部に収納部１５を形成している。
【００４１】
まず、本実施形態にかかる家具移動機構２について説明する。洋服タンス１の側面部１３における底面部１２よりも下方には、支持用側面部１３１を形成しており、この支持用側面部１３１の内部に形成される空間部に家具移動機構２を配設している。
【００４２】
家具移動機構２は、図２に示すように、家具の底面を支持する家具支持部２１と、家具支持部２１の下方に位置され、下面に複数のキャスター２３が固定されるキャスター固定部２２とを備えている。
【００４３】
家具支持部２１は、金属製の矩形の枠体２１ａと、枠体２１ａの４つの角に固定され、後記する螺子軸２４を支持するための支持板２１ｂとにより構成されている。
【００４４】
キャスター固定部２２は、金属製の矩形の枠体２２ａと、枠体２２ａの４つの角に固定され、底面にキャスター２３が固定されるキャスター固定板２２ｂとにより構成されている。
【００４５】
家具支持部２１とキャスター固定部２２のそれぞれの枠体２１ａ，２２ａは、一辺の枠部の断面形状がＬ字状をしており、家具支持部２１の枠体２１ａは、側面が上面より下方に位置するように、そして、キャスター固定部２２の枠体２２ａは、側面が下面より上方に位置するようにそれぞれの側面が対向するように配設される。
【００４６】
さらに、図２に示すように、家具支持部２１とキャスター固定部２２との間を４本の螺子軸２４で連結しており、螺子軸２４は、家具支持部２１の４つの支持板２１ｂのそれぞれに１本ずつ下方に向けて突設させるように支持されている。
【００４７】
図３は、家具支持部２１の枠体２１ａを下面側から見た状態を示し、図４は、家具支持部２１の枠体２１ａに固定した支持板２１ｂの断面図を示す。
【００４８】
螺子軸２４は、図３および図４に示すように、一端側を家具支持部２１の支持板２１ｂの下面側にフリー回転可能に支持されている。
【００４９】
螺子軸２４は、支持板２１ｂに形成された螺子軸挿入孔２１ｃに一端部を挿入させるとともに、支持板２１ｂに固定されるＳ字状固定金具２６に螺子軸挿通孔２６ａを形成し、この螺子軸挿通孔２６ａに螺子軸２４を挿通させることにより、螺子軸挿入孔２１ｃと螺子軸挿通孔２６ａとによって螺子軸２４をフリー回転可能に支持するようになっている。
【００５０】
なお、螺子軸２４がこれら螺子軸挿入孔２１ｃおよび螺子軸挿通孔２６ａから抜け落ちないようにするために、図４に示すように、スプロケット部２５ａとスペーサー部２５ｂとを有するスプロケット２５を螺子軸２４に溶接により固定しておいて、このスプロケット２５を支持板２１ｂとＳ字状固定金具２６とで挟んだ状態でＳ字状固定金具２６を支持板２１ｂにボルト２６ｂで固定することにより、螺子軸２４の抜けを阻止するようにしている。スプロケット２５は、全ての螺子軸２４に固定されており、螺子軸２４の回転と同期して回転するようになっている。
【００５１】
なお、スプロケット２５と支持板２１ｂとの間およびスプロケット２５とＳ字状固定金具２６との間には、板状の樹脂潤滑部材４を介在させて、スプロケット２５の磨耗を防止している。
【００５２】
さらに、前記した螺子軸２４のうちの一つの螺子軸２４には、図５および図６に示すように、螺子軸側ベベルギア２７とスプロケット部２５ａとスペーサー部２５ｂとを備えたスプロケット２５を固定している。
【００５３】
螺子軸側ベベルギア２７は、スプロケット部２５ａの歯に対して支持板２１ｂとは反対側に位置するようにスプロケット部２５ａに一体に形成されており、螺子軸側ベベルギア２７とともにスプロケット２５を支持板２１ｂとＳ字状固定金具２６で挟持している。
【００５４】
螺子軸側ベベルギア２７を有するスプロケット２５も、支持板２１ｂとの間およびＳ字状固定金具２６との間に、板状の樹脂潤滑部材４を介在させてスプロケット２５の磨耗を防止している。
【００５５】
さらに、図６に示すように、螺子軸側ベベルギア２７とスプロケット２５を有する螺子軸２４が支持される支持板２１ｂの下面側には、当該螺子軸側ベベルギア２７に噛み合う伝達ベベルギア２８が固定される回転軸２９がフリー回転可能に支持されている。
【００５６】
支持板２１ｂの下面側には、支持板２１ｂから下方に向けて突設されるＴ字固定金具２９ｂが固定されており、このＴ字固定金具２９ｂに回転軸２９を回転支持する軸受孔２９ｃを形成している。
【００５７】
そして、螺子軸側ベベルギア２７とスプロケット２５を有する螺子軸２４を支持するＳ字状固定金具２６には、その開放端部に、下方に向けて回転軸２９を回転支持するための支持片部２６ｃを延設している。
【００５８】
この支持片部２６ｃには、回転軸２９を挿通させるための回転軸支持孔２６ｄが形成されている。
【００５９】
そして、回転軸２９は、伝達ベベルギア２８をＳ字状固定金具２６の支持片部２６ｃとＴ字固定金具２９ｂで挟み、伝達ベベルギア２８を螺子軸側ベベルギア２７に噛合させた状態で、回転軸２９の一端を支持片部２６ｃの回転軸支持孔２６ｄに挿入させ、他端側をＴ字固定金具２９ｂの軸受孔２９ｃに挿通させて、回転軸支持孔２６ｄと軸受孔２９ｃにフリー回転可能に支持される。
【００６０】
さらに、伝達ベベルギア２８と螺子軸側ベベルギア２７のそれぞれの歯数は、伝達ベベルギア２８が１６枚、螺子軸側ベベルギア２７が２２枚としており、これらの歯数の組み合わせによって、螺子軸側ベベルギア２７を１回転させるために、伝達ベベルギア２８を１回転以上回転させるようにして、伝達ベベルギア２８が固定される回転軸２９をハンドル６で回転させるときの回転負荷を軽減できるようにしている。
【００６１】
なお、本実施形態では、傘歯車として歯数の比率が異なる２つのベベルギアを用いたが、歯数が同一のマイタの傘歯車を用いてもよい。マイタ傘歯車を用いる場合には、重量のさほど重くない家具に適用するのが好ましい。
【００６２】
さらに、回転軸２９の開放側端部には、ハンドル６の六角軸部６１が嵌め込まれる内面が正六角形をした嵌合部２９ａが形成されている。
【００６３】
この嵌合部２９ａにラチェットからなるハンドル６の六角軸部６１を嵌合してハンドル６を回転させることにより、回転軸２９が回転し、回転軸２９の回転に伴って、伝達ベベルギア２８から螺子軸側ベベルギア２７に回転が伝達されて、螺子軸２４が回転するようになっている。
【００６４】
そして、４本の螺子軸２４が支持板２１ｂとＳ字状固定金具２６とにより支持されると、図４および図６に示すように、４本の螺子軸２４の他端側から所定長さを有する筒状スペーサ５１ａを挿嵌し、次に、螺子孔５３ａが貫通形成されたフランジ付ナット５２ａをそれぞれの螺子軸２４に螺合する。フランジ付ナット５２ａは、筒状スペーサ５１ａがＳ字状固定金具２６の底面とフランジ付ナット５２ａの上面に接触するまで螺子軸２４の螺子に沿って回していく。
【００６５】
そして、筒状スペーサ５１ａがＳ字状固定金具２６の底面とフランジ付ナット５２ａの上面に接触した状態で、フランジ付ナット５２ａの筒部をキャスター固定板２２ｂに形成するナット挿入孔２２ｃに挿入し、フランジ付ナット５２ａをキャスター固定板２２ｂにボルト５４ａにより固定する。
【００６６】
なお、フランジ付ナット５２ａのフランジ部には、ボルト５４ａを止めるためのボルト挿通孔が、円周方向に等間隔で４箇所形成され、キャスター固定板２２ｂにもフランジ付ナット５２ａのボルト挿通孔に対応させてボルト挿通孔が４箇所形成されている。そのため、フランジ付ナット５２ａのキャスター固定板２２ｂへの回転方向のずれは４５度の範囲内、即ち、螺子孔への螺合による螺子軸２４の高さのズレは４分の１回転だけの範囲で収まる。
【００６７】
以上のように、筒状スペーサ５１ａで支持板２１ｂとキャスター固定板２２ｂとの間の距離を所定の長さに設定しながら、４本の螺子軸２４をフランジ付ナット５２ａを介してキャスター固定板２２ｂに支持させるようにしているので、４つの支持板２１ｂとキャスター固定板２２ｂとの間の距離を全べて一定にすることができ、枠体２１ａと枠体２２ａの平行度を保つことができる。
【００６８】
このようにして、図４、図６に示すように、フランジ付ナット５２ａを介してキャスター固定板２２ｂに設ける螺子孔５３ａに螺子軸２４を螺合させることにより、４本の螺子軸２４を介して家具支持部２１とキャスター固定部２２とが平行度が保たれた状態で連結される。
【００６９】
さらに、図２に示すように、４本の螺子軸２４に固定されているスプロケット２５の歯に噛み合わせながら、無端チェーン（無端ベルト）７を全てのスプロケット２５に掛け渡す。
【００７０】
なお、無端チェーン７が緩まないようにするために、家具支持部２１の枠体２１ａに、スプロケットからなるテンションローラー８を設けている。
【００７１】
そして、回転軸２９の嵌合部２９ａにハンドル６の六角軸部６１を嵌合してハンドル６を回転させて、回転軸２９を回転させることにより、伝達ベベルギア２８から螺子軸側ベベルギア２７に回転が伝達されて、１つの螺子軸２４が回転すると、無端チェーン７が掛け渡される全てのスプロケット２５が無端チェーン７を介して同期回転する。
【００７２】
このとき、螺子軸２４とキャスター固定部２２の螺子孔５３ａとが螺合されているので、全てのスプロケット２５が回転し始めると、全ての螺子軸２４が回転し始め、螺子軸２４の回転によって、キャスター固定部２２が上方または下方に向けて移動する。
【００７３】
このように、螺子軸２４を右回転または左回転させることにより、家具支持部２１とキャスター固定部２２とは、平行度が保たれたまま、図７に示すように、キャスター固定部２２を、家具支持部２１とキャスター固定部２２とが近接した状態の位置と、図８に示すように、家具支持部２１とキャスター固定部２２とが離れた状態の位置とに移動させることができる。
【００７４】
次に、本実施形態の家具移動機構２を図２に示す洋服タンス１の支持用側面部１３１の内部に配設するのであって、図９から図１１に示すように、支持用側面部１３１は底面側が開放されており、支持用側面部１３１には、ハンドル６の六角軸部６１を挿入して、回転軸２９の嵌合部２９ａに嵌合するためのハンドル用孔１３２を形成している。
【００７５】
そして、家具移動機構２の回転軸２９が支持用側面部１３１のハンドル用孔１３２に対向するように、家具支持部２１の枠体２１ａを洋服タンス１の底面部１２の下面にボルト締め（図示せず）などにより固定している。
【００７６】
そして、洋服タンス１を床面の所定の位置に載置する時は、図１０に示すように、家具支持部２１の枠体２１ａとキャスター固定部２２の枠体２２ａとを近接させた状態にして、キャスター固定部２２に固定されているキャスター２３が支持用側面部１３１の底面の位置より上方に位置させることにより、キャスター２３が床面に接触することなく、側面部１３で洋服タンス１が支持される。
【００７７】
つぎに、洋服タンス１を所定の位置に移動させる時は、支持用側面部１３１のハンドル用孔１３２からハンドル６の六角軸部６１を挿入して、当該六角軸部６１を回転軸２９の嵌合部２９ａに嵌合し、ハンドル６を回転させることにより、回転軸２９が回転し、回転軸２９の回転に伴って、伝達ベベルギア２８から螺子軸側ベベルギア２７に回転が伝達されて、螺子軸２４が回転する。螺子軸２４は、無端チェーン７およびスプロケット２５を介して全ての螺子軸２４が回転する。
【００７８】
このとき、伝達ベベルギア２８と螺子軸側ベベルギア２７のそれぞれの歯数を、伝達ベベルギア２８が１６枚、螺子軸側ベベルギア２７が２２枚として、螺子軸側ベベルギア２７を１回転させるために、伝達ベベルギア２８を１回転以上回転させるようにしているので、伝達ベベルギア２８が固定される回転軸２９をハンドル６で回転させるときの回転負荷を軽減して、ハンドル６の回転操作をあまり力を必要とすることなくスムーズに回転させることができる。
【００７９】
そして、各螺子軸２４の回転動作により、螺子孔５３ａを備えるキャスター固定板２２ｂが枠体２２ａとともに下方に移動し始めて、キャスター２３が床面に接触し、さらに、支持台２の側壁部２２の底面が床面から離れて、図１１に示すように、キャスター２３による洋服タンス１の移動が可能な状態となる。
【００８０】
この状態で、洋服タンス１を目的の位置まで移動させた後は、ハンドル用孔１３２からハンドル６の六角軸部６１を挿入して、当該六角軸部６１を回転軸２９の嵌合部２９ａに嵌合し、ハンドル６を先ほどとは反対の方向に回転させることにより、回転軸２９を反対方向に回転させ、回転軸２９の回転に伴って、伝達ベベルギア２８から螺子軸側ベベルギア２７に回転が伝達されて、螺子軸２４が先ほどとは反対方向に回転する。このときも、無端チェーン７およびスプロケット２５を介して全ての螺子軸２４が回転する。
【００８１】
そして、支持用側面部１３１が床面に接触し、キャスター２３が床面から離れるまでハンドル６を回転させて、図１０に示すように、洋服タンス１を側面部１３で床面に支持させる状態にする。
【００８２】
本実施形態では、前記した構成としているので、キャスター２３の上下位置を調整することができながら、全てのキャスター２３を同時に床面に接触させることができるので、キャスター２３の上下動の際にキャスター２３が変形して破損することなく家具の移動を行うことができる。
【００８３】
その結果、キャスター２３を大型化することなく、キャスター２３の耐久性も向上できる。
【００８４】
しかも、ハンドル６の回転操作で螺子軸２４を回転させる場合、本実施形態では、伝達ベベルギア２８と螺子軸側ベベルギア２７を用いて回転を伝達するようにしているので、螺子軸２４の回転軸に対して直交させてハンドル６で回転される回転軸２９を設けることができるので、家具の側面からハンドル６の操作部を回転軸２９の嵌合部２９ａに挿入できる。
【００８５】
さらに、本実施形態では、伝達ベベルギア２８の歯数を螺子軸側ベベルギア２７の歯数より少なくなるように１対の傘歯車の歯数の比率が異なるようにしておいて、伝達ベベルギア２８および螺子軸側ベベルギア２７を用いて回転を伝達するようにしているので、キャスター２３に家具の重みが加わってても、ハンドル６を回転操作する際の負荷をできるだけ軽減させることができる。
【００８６】
さらに、全ての螺子軸２４を同時に回転させる機構に無端チェーン７を使用しているので、チェーン７の長さを適宜調整することにより、各スプロケット２５との噛み合わせを容易に行うことができる。特に、テンションローラー８を設けることにより、チェーン７を弛ませずに最適な張力にすることができる。
【００８７】
本実施形態では、無端ベルトとして金属製のチェーン７を使用したが、金属製のチェーンに限らず、プラスチック製で所定間隔ごとにスプロケットの歯に噛みあう無端ベルトを使用してもよい。
【００８８】
なお、前記実施形態の家具移動機構２では、家具支持部２１を枠体２１ａと支持板２１ｂとにより形成し、キャスター固定部２２を枠体２２ａとキャスター固定板２２ｂとにより形成したが、図１２および図１３に示す家具移動機構２の第２実施形態のように、家具支持部２１を横方向に開放部を有する断面コ字状の２枚の支持板２１ｂにより形成し、キャスター固定部２２を下方に開放する断面コ字状の２枚のキャスター固定板２２ｂとこれらキャスター固定板２２ｂを連結する連結板２１ｄとにより形成するようにしてもよい。
【００８９】
家具移動機構２の第２実施形態では、１つの支持板２１ｂに２本の螺子軸２４を回転支持させるとともに、１つのキャスター固定板２２ｂに２つのキャスター２３を取り付けるようにしている。
【００９０】
このように、家具支持部２１を２枚の支持板２１ｂで構成し、キャスター固定部２２を２枚のキャスター固定板２２ｂと連結板２１ｄとにより構成することにより、連結板２１ｄのキャスター固定板２２ｂを連結する長さを所望の長さに設定しておいて、連結板２１ｄをキャスター固定板２２ｂに固定することができるので、家具の大きさに合わせて家具移動機構２の大きさを簡単に設定することができる。
【００９１】
しかも、全ての螺子軸２４を回転させるためにスプロケット２５と無端チェーン７を使用しているので、連結板２１ｄの大きさに合わせて、チェーン７のリンクを取り付けたり、取り外すことによりチェーン７の長さも自由に設定することができ、その結果、あらゆる家具への適用性が良好となる。
【００９２】
また、本実施形態では、ハンドル６の回転操作で螺子軸２４を回転させる場合、本実施形態では、伝達ベベルギア２８と螺子軸側ベベルギア２７を用いて回転を伝達するようにして支持用側面部１３１の側面からハンドル操作が行えるようにしたが、洋服タンス１の底面部１２に、所定の螺子軸２４に対向して貫通孔を形成するとともに、その螺子軸２４の上端部にハンドル６の六角軸部６１を嵌合させるための嵌合部を固定して、螺子軸２４を直接ハンドル６で回転させるようにしてもよい。
【００９３】
また、図１４に示す家具移動機構２の第３実施形態のように、チェーン７の弛みを調整するためのスプロケットからなるテンションローラー８を利用し、このテンションローラー８を回転させる回転軸８１の上端部にハンドル６の六角軸部６１が嵌め込まれる内面が正六角形をした嵌合部８２を形成するようにして、この嵌合部８２にハンドル６の六角軸部６１を嵌合してハンドル６を回転させることにより回転軸８１を回転させるようにしてもよい。
【００９４】
図１４に示すテンションローラー８は、二股状のホルダー８３を介して家具支持部２１の枠体２１ａに固定されており、ホルダー８３は、テンションローラー８のスプロケット部８４を挟持する一対の挟持片８３ａと、テンションローラー８の回転軸８１が挿通される挿通孔８３ｂを有している。
【００９５】
さらに、洋服タンス１の底面部１２には、家具移動機構２を底面部１２に取り付けたときに、回転軸８１を挿入させることができる貫通孔１２ａを形成している。
【００９６】
図１４に示すように、底面部１２に形成した貫通孔１２ａから回転軸８１の嵌合部８２にハンドル６の六角軸部６１を挿入させることにより、底面部１２の上方からハンドル６の操作で回転軸８１を回転させることができる。
【００９７】
このように、回転軸８１がハンドル６の操作で回転されると、回転軸８１の回転に伴ってテンションローラー８が回転し、テンションローラー８の歯に噛み合うチェーン７が回転動作することになり、各螺子軸２４も同時に回転する。
【００９８】
家具移動機構２の第３実施形態では、底面部１２にハンドル６操作用の貫通孔１２ａを形成しているので、例えば、収納部１５内からハンドル６の操作で回転軸８１を回転させることができる。その結果、ハンドル６操作のための貫通孔を通常の状態では見えない位置に形成できるので外観が良好となる。
【００９９】
また、家具移動機構２は、図１５に示す第４実施形態のように、上記した第１実施形態から第３実施形態の各家具移動機構２の固定部に、固定部に対して高さ調整可能で、下面側に突出させて床面に接触させる支持体２０を少なくとも一つ設けるようにしてもよい。
【０１００】
支持体２０としては、本実施形態では、外面に雄ネジ部を有する棒状の調整ねじ２０を用いており、各キャスター２３の取付位置近くに、キャスター２３の個数と同数の調整ねじ２０を設ける。
【０１０１】
そして、調整ねじ２０をキャスター固定部２２に取り付けるにあたっては、キャスター固定部２２に調整ねじ２０を挿通させるための調整ねじ挿通用孔２２ｄを形成するとともに、この調整ねじ挿通用孔２２ｄの中心と同心となる固定ナット２０ｂをキャスター固定部２２の下面に溶接により固定する。なお、固定ナット２０ｂ内面には、調整ねじ２０の雄ネジ部と螺合する雌ネジ部が形成されている。
【０１０２】
また、調整ねじ２０の上部先端部には、六角レンチ６２を挿入するためのレンチ用穴２０ａが形成されており、このレンチ用穴２０ａに六角レンチ６２を嵌め込んで、六角レンチ６２を回転させることにより、調整ねじ２０を回転することができるようになっている。
【０１０３】
さらに、家具支持部２１には、六角レンチ６２を挿通させるためのレンチ挿通用孔２１ｅが形成されており、六角レンチ６２を家具支持部２１の上方から、このレンチ挿通用孔２１ｅに挿通させて、六角レンチ６２を調整ねじ２０のレンチ用穴２０ａに嵌め込むようになっている。
【０１０４】
また、調整ねじ２０の下端部には、床面に面接触させるための支持面２０ｃを形成している。
【０１０５】
そして、家具を設置する床面が傾斜している場合、家具が斜めにならないように、家具底部の一部を床面から浮かした状態にして、床面から浮いている家具底部近くの調整ねじ２０を、六角レンチ６２を用いて支持面２０ｃが床面に接触するまで回転させることにより、調整ねじ２０を用いて家具を傾くことなく支持する。
【０１０６】
このように、調整ねじ２０を用いることにより、傾斜している床面に対して家具を設置する場合であっても、家具が傾かないように、家具の底部の一部を床面から浮かした状態にするとともに、床面から浮いている部分を、調整ねじ２０で床面に支持させることができることから、床面が傾斜していても家具を傾かないように設置できながら、家具を移動するときは、調整ねじ２０を上方に移動させて床面から離しながら、螺子軸２４を回転させて全てのキャスター２３を床面に接触させて家具を移動させることができる。
【０１０７】
次に、本発明の昇降装置を壁形成部移動機構３に用いる場合について説明する。本実施形態の家具は、また、図１、図１６から図１８に示すように、洋服タンス１の側面部１３に、上面部１１よりも上方に延設される上部延設側面部１３を有しており、この上部延設側面部１３の内部に壁形成部移動機構３を配設している。
【０１０８】
上部延設側面部１３の内部には空間部が形成されており、その空間部に図１６から図１８に示す壁形成部移動機構３を配設するようにしている。
【０１０９】
図１６に示す壁形成部移動機構３は、洋服タンス１の上面部１１に固定される固定部３２と、固定部３２の上方に位置され、壁形成部９の底面が支持される支持部３１とを備えている。
【０１１０】
固定部３２は、金属製の矩形の枠体３２ａからなり、この枠体３２ａの４つの角には、後記する螺子軸３４を支持するための支持片３２ｂが形成されている。
【０１１１】
支持部３１は、金属製の矩形の枠体３１ａからなり、この枠体３１ａの４つの角には、壁形成部９の底面が支持される支持片３１ｂが形成されている。
【０１１２】
固定部３２と支持部３１のそれぞれの枠体３２ａ，３１ａは、一辺の枠部の断面形状がＬ字状をしており、固定部３２の枠体３２ａは、側面が下面より上方に位置するように、そして、支持部３１の枠体３１ａは、側面が上面より下方に位置するようにそれぞれの側面が対向するように配設される。
【０１１３】
さらに、図１７に示すように、固定部３２と支持部３１との間を４本の螺子軸３４で連結しており、螺子軸３４は、固定部３２の４つの支持片３２ｂのそれぞれに１本ずつ上方に向けて突設させるように支持されている。
【０１１４】
螺子軸３４は、図１９から図２１に示すように、一端側を固定部３２の支持片３２ｂの上面側にフリー回転可能に支持されている。
【０１１５】
螺子軸３４は、支持片３２ｂに形成された螺子軸挿入孔３２ｃに一端部を挿入させるとともに、支持片３２ｂに固定されるＳ字状固定金具３６に螺子軸挿通孔３６ａを形成し、この螺子軸挿通孔３６ａに螺子軸３４を挿通させることにより、螺子軸挿入孔３２ｃと螺子軸挿通孔３６ａとによって螺子軸３４をフリー回転可能に支持するようになっている。
【０１１６】
なお、螺子軸３４がこれら螺子軸挿入孔３２ｃおよび螺子軸挿通孔３６ａから抜けないようにするために、図１９に示すように、スプロケット部３５ａとスペーサー部３５ｂとを有するスプロケット３５を螺子軸３４に溶接により固定しておいて、このスプロケット３５を支持片３２ｂとＳ字状固定金具３６とで挟んだ状態でＳ字状固定金具３６を支持片３２ｂにボルト３６ｂで固定することにより、螺子軸３４の抜けを阻止するようにしている。スプロケット３５は、全ての螺子軸３４に固定されており、螺子軸３４の回転と同期して回転するようになっている。
【０１１７】
なお、スプロケット３５と支持片３２ｂとの間およびスプロケット３５とＳ字状固定金具３６との間には、板状の樹脂潤滑部材４を介在させて、スプロケット３５の磨耗を防止している。
【０１１８】
さらに、前記した螺子軸３４のうちの一つの螺子軸３４には、図２１に示すように、螺子軸側ベベルギア３７とスプロケット部３５ａとスペーサー部３５ｂとを備えたスプロケット３５を固定している。
【０１１９】
螺子軸側ベベルギア３７は、スプロケット部３５ａの歯に対して支持片３２ｂとは反対側に位置するようにスプロケット部３５ａに一体に形成されており、螺子軸側ベベルギア３７とともにスプロケット３５を支持板３２ｂとＳ字状固定金具３６で挟持している。
【０１２０】
螺子軸側ベベルギア３７を有するスプロケット３５も、支持片３２ｂとの間およびＳ字状固定金具３６との間に、板状の樹脂潤滑部材４を介在させてスプロケット３５の磨耗を防止している。
【０１２１】
さらに、図２１に示すように、螺子軸側ベベルギア３７とスプロケット３５を有する螺子軸３４が支持される支持片３２ｂの上面側には、当該螺子軸側ベベルギア３７に噛み合う伝達ベベルギア３８が固定される回転軸３９がフリー回転可能に支持されている。
【０１２２】
支持片３２ｂの上面側には、支持片３２ｂから上方に向けて突設されるＴ字固定金具３９ｂが固定されており、このＴ字固定金具３９ｂに回転軸３９を回転支持する軸受孔３９ｃを形成している。
【０１２３】
そして、螺子軸側ベベルギア３７とスプロケット３５を有する螺子軸３４を支持するＳ字状固定金具３６には、その開放端部に、上方に向けて回転軸３９を回転支持するための支持片部３６ｃを延設している。
【０１２４】
この支持片部３６ｃには、回転軸３９を挿通させるための回転軸支持孔３６ｄが形成されている。
【０１２５】
そして、回転軸３９は、伝達ベベルギア３８をＳ字状固定金具３６の支持片部３６ｃとＴ字固定金具３９ｂで挟み、伝達ベベルギア３８を螺子軸側ベベルギア３７に噛合させた状態で、回転軸３９の一端を支持片部３６ｃの回転軸支持孔３６ｄに挿入させ、他端側をＴ字固定金具３９ｂの軸受孔３９ｃに挿通させて、回転軸支持孔３６ｄと軸受孔３９ｃにフリー回転可能に支持される。
【０１２６】
さらに、伝達ベベルギア３８と螺子軸側ベベルギア３７のそれぞれの歯数は、伝達ベベルギア３８が１６枚、螺子軸側ベベルギア３７が２２枚としており、これらの歯数の組み合わせによって、螺子軸側ベベルギア３７を１回転させるために、伝達ベベルギア３８を１回転以上回転させるようにして、伝達ベベルギア３８が固定される回転軸３９をハンドル６で回転させるときの回転負荷を軽減できるようにしている。
【０１２７】
なお、本実施形態では、傘歯車として歯数の比率が異なる２つのベベルギアを用いたが、歯数が同一のマイタの傘歯車を用いてもよい。マイタ傘歯車を用いる場合には、重量のさほど重くない家具に適用するのが好ましい。
【０１２８】
さらに、回転軸３９の開放側端部には、ハンドル６の六角軸部６１が嵌め込まれる内面が正六角形をした嵌合部３９ａが形成されている。
【０１２９】
この嵌合部３９ａにラチェットからなるハンドル６の六角軸部６１を嵌合してハンドル６を回転させることにより、回転軸３９が回転し、回転軸３９の回転に伴って、伝達ベベルギア３８から螺子軸側ベベルギア３７に回転が伝達されて、螺子軸３４が回転するようになっている。
【０１３０】
そして、４本の螺子軸３４が支持片３２ｂとＳ字状固定金具３６とにより支持されると、図１９、図２１に示すように、４本の螺子軸３４の他端側から所定長さを有する筒状スペーサ５１ｂを挿嵌し、次に、螺子孔５３ｂが貫通形成されたフランジ付ナット５２ｂをそれぞれの螺子軸３４に螺合する。フランジ付ナット５２ｂは、筒状スペーサ５１ｂがＳ字状固定金具３６の底面とフランジ付ナット５２ｂの底面に接触するまで螺子軸３４の螺子に沿って回していく。
【０１３１】
そして、筒状スペーサ５１ｂがＳ字状固定金具３６の上面とフランジ付ナット５２ｂの底面に接触した状態で、フランジ付ナット５２ｂの筒部に支持部３１の支持片３１ｂに形成するナット挿入孔３１ｃを挿入し、フランジ付ナット５２ｂを支持片３１ｂにボルト５４ｂにより固定する。
【０１３２】
なお、フランジ付ナット５２ｂのフランジ部には、ボルト５４ｂを止めるためのボルト挿通孔が、円周方向に等間隔で４箇所形成され、支持片３１ｂにもフランジ付ナット５２ｂのボルト挿通孔に対応させてボルト挿通孔が４箇所形成されている。そのため、フランジ付ナット５２ｂの支持片３１ｂへの回転方向のずれは４５度の範囲内、即ち、螺子孔への螺合による螺子軸３４の高さのズレは４分の１回転だけの範囲で収まる。
【０１３３】
以上のように、筒状スペーサ５１ｂで支持片３２ｂと支持片３１ｂとの間の距離を所定の長さに設定しながら、４本の螺子軸３４をフランジ付ナット５２ｂを介して支持片３１ｂに支持させるようにしているので、４箇所の支持片３２ｂと支持片３１ｂとの間の距離を全べて一定にすることができ、枠体３２ａと枠体３１ａの平行度を保つことができる。
【０１３４】
このようにして、図１９、図２１に示すように、フランジ付ナット５２ｂを介して支持片３１ｂに設ける螺子孔５３ｂに螺子軸３４を螺合させることにより、４本の螺子軸３４を介して支持部３１の枠体３２ａと固定部３２の枠体３１ａとが平行度が保たれた状態で連結される。
【０１３５】
さらに、図１６〜図１８、図２０に示すように、４本の螺子軸３４に固定されているスプロケット３５の歯に噛み合わせながら、無端チェーン（無端ベルト）７を全てのスプロケット３５に掛け渡す。
【０１３６】
なお、無端チェーン７が緩まないようにするために、支持部３１の枠体３２ａに、スプロケットからなるテンションローラー８を設けている。
【０１３７】
そして、回転軸３９の嵌合部３９ａにハンドル６の六角軸部６１を嵌合してハンドル６を回転させて、回転軸３９を回転させることにより、伝達ベベルギア３８から螺子軸側ベベルギア３７に回転が伝達されて、１つの螺子軸３４が回転すると、無端チェーン７が掛け渡される全てのスプロケット３５が無端チェーン７を介して同期回転する。
【０１３８】
このとき、螺子軸３４と固定部３２の螺子孔５３ｂとが螺合されているので、全てのスプロケット３５が回転し始めると、全ての螺子軸３４が回転し始め、螺子軸３４の回転によって、固定部３２が上方または下方に向けて移動する。
【０１３９】
このように、螺子軸３４を右回転または左回転させることにより、支持部３１と固定部３２とは、平行度が保たれたまま、図１７に示すように、固定部３２を、支持部３１と固定部３２とが近接した状態の位置と、図１８に示すように、支持部３１と固定部３２とが離れた状態の位置とに移動させることができる。
【０１４０】
壁形成部９は、洋服タンス１の前後側面部１３内面に沿う前側壁面部９１と後側壁面部９２、そして、前側壁面部９１と後側壁面部９２の下端部を連結するための底部連結部９３とを有する上部が開放された断面コの字状の板状部材で構成している。
【０１４１】
前側壁面部９１と後側壁面部９２は、前後側面部１３と同一幅を有し、かつ、上部延設側面部１３３の高さ方向長さより長い高さ方向長さを有している。
【０１４２】
底部連結部９３は、前側壁面部９１と後側壁面部９２が上部延設側面部１３の内方で、かつ、上部延設側面部１３に摺接する幅をしており、底部連結部９３には、螺子軸３４とフランジ付ナット５２ｂの筒部が挿通される挿通孔が形成されている。
【０１４３】
さらに、前側壁面部９１と後側壁面部９２の上端面前面には、伸縮性を有する弾性ゴム９４が取り付けられている。
【０１４４】
次に、本実施形態の壁形成部移動機構３を図１に示す洋服タンス１の上部延設側面部１３の内部に配設するのであって、上部延設側面部１３は、図１、図１７、図１８に示すように、上面部１１より上方に延設されており、互いに対向させた状態で配設されている。さらに、図１に示すように、上部延設側面部１３には、ハンドル６の六角軸部６１を挿入して、上部延設側面部１３内の回転軸３９の嵌合部３９ａに嵌合するためのハンドル用孔１３４を形成している。
【０１４５】
そして、壁形成部移動機構３の回転軸３９が上部延設側面部１３のハンドル用孔１３４に対向するように、固定部３２の枠体３２ａを上面部１１にボルト締め（図示せず）などにより固定して、上部延設側面部１３内に壁形成部移動機構３が取り付けられる。
【０１４６】
次に、壁形成部移動機構３の支持部３１上に壁形成部９を配設するのであって、前側壁面部９１と後側壁面部９２が、上部延設側面部１３よりも内方で、上部延設側面部１３と摺接するようにして、螺子軸３４を底部連結部９３に形成した挿通孔に挿通させることにより、支持部３１で壁形成部９の底部連結部９３を支持させておく。
【０１４７】
そして、壁形成部９を降下させておくとき時は、図１７に示すように、支持部３１の枠体３２ａと固定部３２の枠体３１ａとを近接させた状態にしておく。また、壁形成部９を所定の高さまで上昇させる時は、上部延設側面部１３のハンドル用孔１３４からハンドル６の六角軸部６１を挿入して、当該六角軸部６１を上部延設側面部１３内の回転軸３９の嵌合部３９ａに嵌合し、ハンドル６を回転させることにより、回転軸３９が回転し、回転軸３９の回転に伴って、伝達ベベルギア３８から螺子軸側ベベルギア３７に回転が伝達されて、螺子軸３４が回転する。螺子軸３４は、無端チェーン７およびスプロケット３５を介して全ての螺子軸３４が回転する。
【０１４８】
このとき、伝達ベベルギア３８と螺子軸側ベベルギア３７のそれぞれの歯数を、伝達ベベルギア３８が１６枚、螺子軸側ベベルギア３７が２２枚として、螺子軸側ベベルギア３７を１回転させるために、伝達ベベルギア３８を１回転以上回転させるようにしているので、壁形成部９の高さ調整を細かく調整することができる。
【０１４９】
そして、各螺子軸３４の回転動作により、図１８に示すように、螺子孔５３ｂを備える固定部３２が枠体３１ａとともに上方に移動し始めて、壁形成部９が上昇して天井面に接触する。
【０１５０】
この状態で、壁形成部９を降下させる場合には、上部延設側面部１３のハンドル用孔１３４からハンドル６の六角軸部６１を挿入して、当該六角軸部６１を上部延設側面部１３内の回転軸３９の嵌合部３９ａに嵌合し、ハンドル６を先ほどとは反対の方向に回転させることにより、回転軸３９を反対方向に回転させ、回転軸３９の回転に伴って、伝達ベベルギア３８から螺子軸側ベベルギア３７に回転が伝達されて、螺子軸３４が先ほどとは反対方向に回転する。このときも、無端チェーン７およびスプロケット３５を介して全ての螺子軸３４が回転する。そして、壁形成部９が天井面から離れて、家具の移動がし易くなる。
【０１５１】
本実施形態では、洋服タンス１の上部を前記した壁形成部９と、本発明の昇降装置で形成される壁形成部移動機構３を有する構成としているので、壁形成部移動機構３を用いて壁形成部９の高さを平行度を保ったまま自由に調整できるので、床面から天井までの高さに応じて、洋服タンス１で隣から光が漏れない壁を形成することができる。
【０１５２】
しかも、ハンドル６の回転操作で螺子軸３４を回転させる場合、本実施形態では、伝達ベベルギア３８と螺子軸側ベベルギア３７を用いて回転を伝達するようにしているので、螺子軸３４の回転軸に対して直交させてハンドル６で回転される回転軸３９を設けることができるので、家具の側面からハンドル６の操作部を回転軸３９の嵌合部３９ａに挿入でき、昇降操作を簡単に行える。
【０１５３】
さらに、本実施形態の壁形成部移動機構３では、伝達ベベルギア３８の歯数を螺子軸側ベベルギア３７の歯数より少なくなるように１対の傘歯車の歯数の比率が異なるようにしておいて、伝達ベベルギア３８および螺子軸側ベベルギア３７を用いて回転を伝達するようにしているので、壁形成部９の高さ調整を細かく調整できる。
【０１５４】
さらに、全ての螺子軸３４を同時に回転させる機構に無端チェーン７を使用しているので、チェーン７の長さを適宜調整することにより、各スプロケット３５との係合を容易に行うことができる。特に、テンションローラー８を設けることにより、チェーン７を弛ませずに最適な張力にすることができる。
【０１５５】
本実施形態の壁形成部移動機構３では、無端ベルトとして金属製のチェーン７を使用したが、金属製のチェーンに限らず、プラスチック製で所定間隔ごとにスプロケットの歯に係合する係合部を有する無端ベルトを使用してもよい。
【０１５６】
なお、前記実施形態では、固定部３２を枠体３２ａと支持片３２ｂとにより形成し、支持部３１を枠体３１ａと支持片３１ｂとにより形成したが、図２２および図２３に示す壁形成部移動機構３の第２実施形態のように、固定部３２を２枚の固定板３２ｄにより形成し、支持部３１を２枚の支持板３１ｄとこれら支持板３１ｄを連結する連結板３１ｅとにより形成するようにしてもよい。
【０１５７】
本実施形態では、１つの固定板３２ｄに２本の螺子軸３４を回転支持させるようにしている。
【０１５８】
このように、固定部３２を２枚の固定板３２ｄで構成し、支持部３１を２枚の支持板３１ｄと連結板３１ｅとにより構成することにより、連結板３１ｅの支持板３１ｄを連結する長さを所望の長さに設定しておいて、連結板３１ｅを支持板３１ｄに固定することができるので、家具の大きさに合わせて壁形成部移動機構３の大きさを簡単に設定することができる。
【０１５９】
しかも、全ての螺子軸３４を回転させるためにスプロケット３５と無端チェーン７を使用しているので、連結板３１ｅの大きさに合わせて、チェーン７のリンクを取り付けたり、取り外すことによりチェーン７の長さも自由に設定することができ、その結果、あらゆる家具への適用性が良好となる。
【０１６０】
また壁形成部９の前側壁面部９１と後側壁面部９２の頂部には、壁形成部９を天井に接触させたときに弾性変形させる弾性部材である弾性ゴム９４を設けているので、天井面の平滑性が多少悪くても、弾性ゴム９４の変形で光が漏れることなく壁形成部９を天井に接触させることができる。
【０１６１】
以上のように本実施形態では、本発明の昇降装置を家具移動機構２と壁形成部移動機構に用いるので、無端チェーン７により各螺子軸２４，３４のスプロケット２５，３５を同時に回転させることができ、各螺子軸２４，３４の同期回転により支持部２１，３１と固定部２２，３２との間の平行度を保ったまま、支持部２１，３１と固定部２２，３２との間の距離を調節することができる。
【０１６２】
さらに、少なくとも４本の真っ直ぐな螺子軸２４，３４により支持部２１，３１と固定部を連結しているので、螺子軸２４，３４の上端部にかかる荷重を螺子軸２４，３４下端まで軸方向に受けることになり、螺子軸２４，３４の径をさほど大きくせずとも支持部２１，３１で受けている部材の荷重を螺子軸２４，３４が損傷することなく受けとめることができる。
【０１６３】
しかも、螺子軸２４，３４を少なくとも４本設けているので、支持部２１，３１で受ける荷重を複数本の螺子軸２４，３４で分散させて受けることができるので、１本の螺子軸２４，３４にかかる荷重を軽減することができる。
【図面の簡単な説明】
【図１】洋服タンスの正面図。
【図２】本発明に係る家具移動機構の第１実施形態を示す全体斜視図。
【図３】図２の第１実施形態にかかる家具支持部の一部を示す部分斜視図であって、枠体の下面側から見た状態を示す。
【図４】図２の第１実施形態にかかる家具支持部の一部を示す部分断面図であって、螺子軸の取り付け状態を示す。
【図５】図２の第１実施形態にかかる家具支持部の一部を示す部分斜視図であって、枠体の下面側から見た状態で、螺子軸側ベベルギアを備える螺子軸の取り付け状態を示す。
【図６】図２の第１実施形態にかかる家具支持部の一部を示す部分断面図であって、螺子軸側ベベルギアを備える螺子軸の取り付け状態を示す。
【図７】第１実施形態の家具移動機構において、家具支持部とキャスター固定部とを近接させた状態を示す部分斜視図。
【図８】第１実施形態の家具移動機構において、家具支持部とキャスター固定部とを離反させた状態を示す部分斜視図。
【図９】第１実施形態の家具移動機構を支持用側面部内に取り付けた状態の上面側から見た断面図。
【図１０】第１実施形態の家具移動機構を支持用側面部内に取り付けた状態の横方向から見た断面図であって、家具支持部とキャスター固定部とが近接してキャスターが床面から離れた状態を示す。
【図１１】第１実施形態の家具移動機構を支持用側面部内に取り付けた状態の横方向から見た断面図であって、家具支持部とキャスター固定部とが離反してキャスターが床面に接触する状態を示す。
【図１２】本発明の家具移動機構の第２実施形態であって、家具移動機構を上面側から見た平面図。
【図１３】本発明の家具移動機構の第２実施形態の家具移動機構を横方向から見た側面図。
【図１４】本発明の家具移動機構の第３実施形態の家具移動機構の部分断面図。
【図１５】本発明の家具移動機構の第４実施形態の家具移動機構の部分断面図。
【図１６】本発明の昇降装置を壁形成部移動機構に用いた場合の第１実施形態であって、上部延設側面部内に取り付けた状態の上面側から見た断面図。
【図１７】図１６の壁形成部移動機構を上部延設側面部内に取り付けた状態の横方向から見た断面図であって、支持部と固定部とが近接している状態を示す。
【図１８】図１６の壁形成部移動機構を上部延設側面部内に取り付けた状態の横方向から見た断面図であって、支持部と固定部とが離れている状態を示す。
【図１９】壁形成部移動機構の第１実施形態にかかる支持部と固定部の一部を示す部分断面図であって、螺子軸の取り付け状態を示す。
【図２０】壁形成部移動機構の第１実施形態にかかる固定部の一部を示す部分斜視図であって、枠体の上方から見た状態を示す。
【図２１】壁形成部移動機構の第１実施形態にかかる支持部と固定部の一部を示す部分断面図であって、螺子軸側ベベルギアを備える螺子軸の取り付け状態を示す。
【図２２】本発明の壁形成部移動機構の第２実施形態であって、壁形成部移動機構を上面側から見た平面図。
【図２３】図２２の壁形成部移動機構を横方向から見た側面図。
【図２４】従来の家具移動機構の部分断面図。
【符号の説明】
１　洋服タンス
１１　上面部
１２　底面部
１３　側面部
１３１　支持用側面部
１３３　上部延設側面部
２　家具移動機構
２１　家具支持部
２２　キャスター固定部
２３　キャスター
２４　螺子軸
２５　スプロケット
２７　螺子軸側ベベルギア
２８　伝達ベベルギア
２９　回転軸
３　壁形成部移動機構
３１　支持部
３２　固定部
３４　螺子軸
３５　スプロケット
３７　螺子軸側ベベルギア
３８　伝達ベベルギア
３９　螺子軸
９　ハンドル
１０　無端チェーン（無端ベルト）
【図１】
2004059196.tif 000003
【図２】
2004059196.tif 000004
【図３】
2004059196.tif 000005
【図４】
2004059196.tif 000006
【図５】
2004059196.tif 000007
【図６】
2004059196.tif 000008
【図７】
2004059196.tif 000009
【図８】
2004059196.tif 000010
【図９】
2004059196.tif 000011
【図１０】
2004059196.tif 000012
【図１１】
2004059196.tif 000013
【図１２】
2004059196.tif 000014
【図１３】
2004059196.tif 000015
【図１４】
2004059196.tif 000016
【図１５】
2004059196.tif 000017
【図１６】
2004059196.tif 000018
【図１７】
2004059196.tif 000019
【図１８】
2004059196.tif 000020
【図１９】
2004059196.tif 000021
【図２０】
2004059196.tif 000022
【図２１】
2004059196.tif 000023
【図２２】
2004059196.tif 000024
【図２３】
2004059196.tif 000025
【図２４】
2004059196.tif 000026